(57)【要約】【課題】コストの低廉化を実現しつつ、原稿カバーを種々の離間位置で任意に停止可能な読取装置を提供する。【解決手段】本発明の読取装置は、装置本体１と原稿カバー３とヒンジ機構５とを備えている。ヒンジ機構５は、装置本体１に固定され、揺動軸心Ｏと同心をなす複数の歯１０ｃが形成された第１歯部材１０と、原稿カバー３に揺動軸心Ｏと平行な回動軸心Ｐ回りで回動可能に設けられ、各歯１０ｃと噛合可能な複数の歯２０ｃが形成された外歯車２０と、規制部材３０等を有している。規制部材３０は、原稿カバー３に設けられ、外歯車２０の回動を規制可能である。【選択図】図６
2013120232.tif 000002
【特許請求の範囲】
【請求項１】
原稿が載置される載置面と、前記載置面上の前記原稿の画像を読み取る読取手段とを有する装置本体と、
前記載置面を覆う閉鎖位置と、前記載置面から離間する離間位置との間で変位可能な原稿カバーと、
前記装置本体と前記原稿カバーとの間に設けられ、前記原稿カバーが前記装置本体に対して前記閉鎖位置又は前記離間位置をとるように、揺動軸心回りで前記原稿カバーを揺動させるヒンジ機構とを備えた読取装置であって、
前記ヒンジ機構は、前記装置本体及び前記原稿カバーの一方である第１機体に取り付けられ、前記揺動軸心と同心をなす複数の第１歯部が形成された第１歯部材と、
前記装置本体及び前記原稿カバーの他方である第２機体に、前記揺動軸心と平行な回動軸心回りで回動可能に設けられ、各前記第１歯部と噛合可能な複数の第２歯部が形成された第２歯部材と、
前記第２機体に設けられ、前記第２歯部材の回動を規制可能な規制手段とを有することを特徴とする読取装置。
【請求項２】
前記第１歯部材は前記第１機体に着脱可能に取り付けられている請求項１記載の読取装置。
【請求項３】
前記規制手段は、第１方向に変位して前記第２歯部の少なくとも一つと係合する係合部と、
操作によって前記第１方向とは異なる第２方向に前記係合部を変位させる操作部と、
前記係合部と前記操作部とを連結する規制部材とを有する請求項１又は２記載の読取装置。
【請求項４】
前記規制手段は、前記係合部を前記第１方向に付勢する付勢部材を有している請求項３記載の読取装置。
【請求項５】
前記第１機体は前記装置本体であり、
前記第２機体は前記原稿カバーであり、
前記第１歯部材は、前記装置本体の一端側に設けられた外歯車を有し、
前記第２歯部材は、前記第１歯部材の他端側に位置するように前記原稿カバーの前記一端側に設けられた外歯車であり、
前記規制部材は、前記一端側に前記係合部を有し、前記他端側に前記操作部を有し、かつ中央が前記原稿カバーに対して前記揺動軸心及び前記回動軸心と平行な操作軸心回りで揺動可能に設けられている請求項２乃至４のいずれか１項記載の読取装置。
【請求項６】
前記係合部は、前記揺動軸心と前記回動軸心とを接続する直線より上方に位置している請求項５記載の読取装置。
【請求項７】
前記操作部は、前記原稿カバーを上方から下方に押す力が付与されることにより、前記係合部が前記第２方向に変位するように前記原稿カバーに設けられている請求項６記載の読取装置。
【請求項８】
前記第１機体は前記装置本体であり、
前記第２機体は前記原稿カバーであり、
前記第１歯部材は、前記装置本体の一端側に設けられた外歯車を有し、
前記第２歯部材は、前記第１歯部材の他端側に位置するように前記原稿カバーの前記一端側に設けられた外歯車であり、
前記規制部材は、前記一端側に前記係合部を有し、前記他端側に前記操作部を有し、かつ中央が前記原稿カバーに対して前記揺動軸心及び前記回動軸心と平行な操作軸心回りで揺動可能に設けられ、
前記規制部材の前記一端側には押圧バネが設けられている請求項６又は７記載の読取装置。
【請求項９】
前記規制手段は、前記規制部材の前記一端側に設けられ、前記原稿と当接して前記係合部を前記第２歯部材から離間する方向に移動させる当接部を有する請求項２乃至８のいずれか１項記載の読取装置。
【請求項１０】
前記載置面は、前記原稿を載置する際に基準とする基準位置を有し、
前記基準位置がある側に、前記ヒンジ機構が設けられている請求項９記載の読取装置。
【請求項１１】
前記原稿カバーは把持部を有し、前記把持部に前記操作部が配置されている請求項２乃至１０のいずれか１項記載の読取装置。
【発明の詳細な説明】
【技術分野】
【０００１】
本発明は、ヒンジ機構に特徴を有する読取装置に関する。
【背景技術】
【０００２】
一般的な読取装置は、装置本体と原稿カバーとヒンジ機構とを備えている。装置本体は、原稿が載置される載置面と、この載置面上の原稿の画像を読み取る読取手段とを有している。原稿カバーは、載置面を覆う閉鎖位置と、載置面から離間する離間位置との間で変位可能である。ヒンジ機構は、装置本体と原稿カバーとの間に設けられている。このヒンジ機構は、原稿カバーが装置本体に対して閉鎖位置又は離間位置をとるように、揺動軸心回りで原稿カバーを揺動可能に支持している。
【０００３】
一般的な読取装置では、例えば特許文献１開示のヒンジ機構が採用され得る。このヒンジ機構は、フリーストップヒンジと称されており、ヒンジ本体内に摺動可能にスライダが設けられ、スライダ内にバネが収容されている。また、ヒンジ本体には揺動軸心回りで揺動可能な支持部材が設けられており、バネは支持部材を押圧可能である。
【０００４】
このフリーストップヒンジを読取装置に採用した場合、原稿カバーを閉鎖位置で停止できる。また、バネの付勢力によって支持部材にトルクを発生させることから、装置本体に対して原稿カバーが９０°未満の開角度で開放された離間位置において、その原稿カバーを停止できる。
【先行技術文献】
【特許文献】
【０００５】
【特許文献１】特開２００６−３４３４７７号公報
【発明の概要】
【発明が解決しようとする課題】
【０００６】
しかし、上記のようなフリーストップヒンジは、構造が比較的複雑であり、ヒンジ自体にコストがかかってしまうことから、読取装置のコストが高くなるという問題がある。
【０００７】
一方、読取装置において、コストを抑えるためにトルクを生じないヒンジ機構を採用した場合には、原稿カバーを離間位置で停止し難い。また、この場合、原稿カバーが載置面に対して９０°以上の開角度で開放された状態で原稿カバーを停止しようとすると、原稿カバーの自重によって、原稿カバー自体が装置本体に対して１８０°になるまで開いたり、装置本体とともに後ろに倒れるおそれがある。
【０００８】
本発明は、上記従来の実情に鑑みてなされたものであって、コストの低廉化を実現しつつ、原稿カバーを種々の離間位置で任意に停止可能な読取装置を提供することを解決すべき課題としている。
【課題を解決するための手段】
【０００９】
本発明の読取装置は、原稿が載置される載置面と、前記載置面上の前記原稿の画像を読み取る読取手段とを有する装置本体と、
前記載置面を覆う閉鎖位置と、前記載置面から離間する離間位置との間で変位可能な原稿カバーと、
前記装置本体と前記原稿カバーとの間に設けられ、前記原稿カバーが前記装置本体に対して前記閉鎖位置又は前記離間位置をとるように、揺動軸心回りで前記原稿カバーを揺動させるヒンジ機構とを備えた読取装置であって、
前記ヒンジ機構は、前記装置本体及び前記原稿カバーの一方である第１機体に取り付けられ、前記揺動軸心と同心をなす複数の第１歯部が形成された第１歯部材と、
前記装置本体及び前記原稿カバーの他方である第２機体に、前記揺動軸心と平行な回動軸心回りで回動可能に設けられ、各前記第１歯部と噛合可能な複数の第２歯部が形成された第２歯部材と、
前記第２機体に設けられ、前記第２歯部材の回動を規制可能な規制手段とを有することを特徴とする。
【００１０】
本発明の読取装置では、ヒンジ機構が第１歯部材、第２歯部材及び規制手段により構成されており、一般的なフリーストップヒンジと比べ、構造が比較的簡易である。
【００１１】
そして、規制手段が第２歯部材の回動を許容すれば、第２歯部材は、各第２歯部が第１歯部材の各第１歯部に噛合しながら、回動軸心回りを回動する。このため、第２機体は第１機体に対して揺動軸心回りで揺動する。
【００１２】
また、規制手段が第２歯部材の回動を停止すれば、第２歯部材は、各第２歯部が第１歯部材の各第１歯部に噛合しながら、回動軸心回りの任意の位置で停止する。このため、第２機体は第１機体に対して揺動軸心回りの任意の位置で停止する。
【００１３】
したがって、本発明の読取装置では、コストの低廉化を実現しつつ、原稿カバーを種々の離間位置で任意に停止可能である。
【００１４】
第１歯部材は第１機体に着脱可能に取り付けられていることが好ましい。この場合、第１歯部材を第２機体と一体とし、第２機体を第１機体から取り外したり、第２機体を第１機体に対して上下動させたりすることが可能になる。
【００１５】
規制手段は、第１方向に変位して第２歯部の少なくとも一つと係合する係合部と、操作によって第１方向とは異なる第２方向に係合部を変位させる操作部と、係合部と操作部とを連結する規制部材とを有することが好ましい。この場合、操作部を操作することで、第２機体の離間位置を容易に解除することができる。係合部及び操作部は位置を問わない。規制手段の構造が簡易になり、よりコストの低廉化を実現することができる。
【００１６】
規制手段は、係合部を第１方向に付勢する付勢部材を有していることが好ましい。この場合、操作部を操作しなければ、付勢部材によって係合部が第２歯部の少なくとも一つと係合し、第２機体が姿勢を維持できる。付勢部材に抗して操作部を操作すれば、第２機体の離間位置を容易に解除することがきる。
【００１７】
第１機体は装置本体であり、第２機体は原稿カバーであり得る。また、第１歯部材は、装置本体の一端側に設けられた外歯車を有し得る。第２歯部材は、その第１歯部材の他端側に位置するように原稿カバーの一端側に設けられた外歯車であり得る。そして、規制部材は、一端側に係合部を有し、他端側に操作部を有し、かつ中央が原稿カバーに対して揺動軸心及び回動軸心と平行な操作軸心回りで揺動可能に設けられていることが好ましい。この場合、装置本体に対して原稿カバーを停止したり、回動させたりすることができる。また、揺動軸心、回動軸心及び操作軸心がこの順番で原稿カバーに沿って直線状又は直線に近い状態となり、第１方向と第２方向とが逆方向になる。このため、付勢部材によって第１方向又は第２方向に係合部を付勢することができることから、規制部材の構造が簡素化され、好ましい。さらに、操作部への簡単な操作により、原稿カバーの停止と回動とを実現できる。
【００１８】
係合部は、揺動軸心と回動軸心とを接続する直線より上方に位置していることが好ましい。この場合、ユーザが原稿カバーを持ち上げる際には、各第２歯部が係合部と係合することなく、原稿カバーを下方から上方に持ち上げることができる。他方、原稿カバーが自重等によって下方に向かえば、各第２歯部が係合部と係合し、原稿カバーが停止される。付勢部材が設けられておれば、原稿カバーの下降時、付勢部材の付勢力によって各第２歯部と係合部とが係合している位置で原稿カバーが停止される。
【００１９】
操作部は、原稿カバーを上方から下方に押す力が付与されることにより、係合部が第２方向に変位するように原稿カバーに設けられていることが好ましい。この場合、ユーザが原稿カバーを下げる際に操作部にその方向の力を付与すれば、係合部と各第２歯部との係合が外れ、原稿カバーを自然に下降させることができる。
【００２０】
第１機体が装置本体であり、第２機体が原稿カバーであり、第１歯部材が装置本体の一端側に設けられた外歯車を有し、第２歯部材が第１歯部材の他端側に位置するように原稿カバーの一端側に設けられた外歯車であり得る。規制部材は、一端側に係合部を有し、他端側に操作部を有し、かつ中央が原稿カバーに対して揺動軸心及び回動軸心と平行な操作軸心回りで揺動可能に設けられ得る。そして、規制部材の一端側には押圧バネが設けられていることが好ましい。この場合、係合部を第２歯部に向けて精度よく付勢できる。
【００２１】
規制手段は、規制部材の一端側に設けられ、原稿と当接して係合部を第２歯部材から離間する方向に移動させる当接部を有することが好ましい。書籍等、厚みのある原稿が載置面に載置された場合、当接部にその原稿が当接し、係合部を第２歯部材から離間する方向に移動させる。このため、規制部材による原稿カバーの停止機能が作用しなくなり、原稿の厚みに応じて、原稿カバーが自由に移動できる状態となる。これにより、原稿カバーが変形することを防止できる。
【００２２】
載置面は、原稿を載置する際に基準とする基準位置を有し、基準位置がある側に、ヒンジ機構が設けられていることが好ましい。この場合、当接部が確実に原稿に当接し、原稿カバーが自由に移動できる状態となる。
【００２３】
原稿カバーは把持部を有し、把持部に操作部が配置されていることが好ましい。原稿カバーの開閉時にユーザの手がかかる把持部に操作部を配置することで、操作部に対する操作を原稿カバーの開閉と同時に行なうことができる。
【図面の簡単な説明】
【００２４】
【図１】実施形態の読取装置に係り、斜め後方からの斜視図である。
【図２】実施形態の読取装置に係り、原稿カバーを開放した状態の前方からの斜視図である。
【図３】実施形態の読取装置の縦断面図である。
【図４】実施形態の読取装置に係り、原稿カバーを装置本体から取り外した状態の縦断面図である。
【図５】実施形態の読取装置に係り、図３の模式断面図である。
【図６】実施形態の読取装置に係り、原稿カバーを開放している状態の模式断面図である。
【図７】実施形態の読取装置に係り、原稿カバーを閉じようとしている状態の模式断面図である。
【図８】実施形態の読取装置に係り、厚みのある原稿が載置面に載置された状態の模式断面図である。
【発明を実施するための形態】
【００２５】
以下、本発明を具体化した実施形態を図面を参照しつつ説明する。
【００２６】
実施形態の読取装置は、図１及び図２に示すように、装置本体１と、装置本体１の上方に設けられた原稿カバー３とを備えている。図１及び図２では、装置本体１と原稿カバー３とが接続されている部分を読取装置の後側と規定する。そして、読取装置の前側から見て、読取装置の右側を右側、読取装置の左側を左側と規定し、前後、左右及び上下の各方向を表示する。図３以降に示す各方向は、全て図１及び図２に示す各方向に対応させて表示する。
【００２７】
装置本体１が本発明の第１機体の一例である。この装置本体１は、原稿が載置される載置面１ａと、この載置面１ａ上の原稿の画像を移動しながら読み取る読取手段１ｂとを有している。載置面１ａの左端は、原稿を載置する際に基準とされる基準位置１ｃとされている。ユーザは、基準位置１ｃを構成する辺（縁）に原稿の端部を合わせて、載置面１ａに原稿をセットする。また、装置本体１内には、読取手段１ｂ等を駆動する図示しない駆動装置、制御基板等が収納されている。
【００２８】
原稿カバー３が本発明の第２機体の一例である。この原稿カバー３は、載置面１ａを覆う閉鎖位置と、載置面１ａから離間する離間位置との間で変位可能である。原稿カバー３の手前中央には、ユーザが原稿カバー３を開閉する際に把持可能な把持部３ａが設けられている。
【００２９】
装置本体１と原稿カバー３との間には、２個のヒンジ機構５、７が設けられている。ヒンジ機構５、７は、原稿カバー３側に取り付けられ、原稿カバー３が装置本体１に対して閉鎖位置又は離間位置をとるように、揺動軸心Ｏ回りで原稿カバー３を揺動可能である。揺動軸心Ｏは、読取装置（原稿カバー３）の背面側で水平方向に延びている。なお、本実施形態においては、左側に位置するヒンジ機構５が特徴を有している。そして、右側に位置するヒンジ機構７は、トルクを生じない周知のものとなっている。
【００３０】
次に、ヒンジ機構５の構成について説明する。ヒンジ機構５は、図３〜５に示すように、第１歯部材１０を有している。この第１歯部材１０は、下方に延びる支持部１０ａと、支持部１０ａと一体をなす外歯車１０ｂとからなる。支持部１０ａは装置本体１の収容部に挿入され、装置本体１に対して上下動可能になっている。これにより、載置面１ａに載置される原稿が厚みのある原稿の場合に支持部１０ａが上昇し、厚み分を吸収して原稿カバーを閉鎖位置に移動できるように構成されている。図４に示すように、第１歯部材１０は原稿カバー３に取り付けられており、原稿カバー３を装置本体１から取り外したり、支持部１０ａが装置本体１に対して上下動可能になっている。しかし、支持部１０ａが装置本体１に装着された状態では、第１歯部材１０は装置本体１の上面に固定された状態となる。そして、外歯車１０ｂの軸心が揺動軸心Ｏである。外歯車１０ｂの外周には、揺動軸心Ｏと同心をなす複数の第１歯部としての歯１０ｃが等ピッチで形成されている。揺動軸心Ｏを構成する軸は原稿カバー３に固定されている。
【００３１】
また、ヒンジ機構５における第１歯部材１０の前方には、原稿カバー３に設けられた第２歯部材としての外歯車２０を有している。外歯車２０の軸心は回動軸心Ｐであり、外歯車２０は回動軸心Ｐ回りで回動可能に設けられている。回動軸心Ｐは揺動軸心Ｏと平行である。外歯車２０の外周には、回動軸心Ｐと同心をなす複数の第２歯部としての歯２０ｃが等ピッチで形成されている。各歯２０ｃが外歯車１０ｂの各歯１０ｃと噛合可能となるように、第１歯部材１０と外歯車２０との位置が設定されている。
【００３２】
さらに、ヒンジ機構５は、原稿カバー３に設けられた規制部材３０を有している。この規制部材３０は、図２に示すように、原稿カバー３０の内側面（載置面１ａとの対向面）においての後端左側付近から前方に延びた後、原稿カバー３の中央に向かって斜めに屈曲し、中央から前方に向かって延びる所定幅を有する薄板状の部材である。
【００３３】
規制部材３０は、図５に示すように、前後方向の中央が原稿カバー３に対して操作軸心Ｑ回りで揺動可能に設けられている。操作軸心Ｑは揺動軸心Ｏ及び回動軸心Ｐと平行である。原稿カバー３を左右方向から見た場合には、揺動軸心Ｏ、回動軸心Ｐ及び操作軸心Ｑがこの順番で原稿カバー３に沿って直線に近い位置関係で存在している（図５参照）。また、規制部材３０の後端は係合部３２とされ、規制部材３０の前端は操作部３４とされている。
【００３４】
係合部３２は、揺動軸心Ｏと回動軸心Ｐとを接続する直線Ｌより上方に位置し、外歯車２０の回動中心Ｐよりも前方において、外歯車２０の歯部２０ｃに接触可能になっている。また、係合部３２の下面であって、外歯車２０から離れた位置には、所定の厚さのスポンジ等からなる当接部３６が貼り付けられている。係合部３２の上面であって、当接部３６よりも外歯車２０側となる位置には、原稿カバー３との間に付勢部材の一例としての押圧バネ３８が設けられている。
【００３５】
把持部３ａは、図１に示すように、原稿カバー３の上面に形成された開口から突出可能に設けられている。具体的に、把持部３ａは、操作部３４の上面に固定されている。操作部３４は、規制部材３０が操作軸心Ｑ回りで揺動可能になっているため、把持部３ａは、操作部３４の位置、即ち規制部材３０の傾き具合に応じて、原稿カバー３の上面から突出したり、上面内に凹んだりするようになっている。これらの第１歯部材１０、外歯車２０、規制部材３０、係合部３２、操作部３４、当接部３６及び押圧バネ３８がヒンジ機構５を構成している。また、規制部材３０、係合部３２、操作部３４、押圧バネ３８及び当接部３６が規制手段を構成している。
【００３６】
次に、ユーザが原稿カバー３を開閉する際のヒンジ機構５の動作について説明する。図６に示すように、ユーザが原稿カバー３の前部を持ち上げる操作を行なう場合には、通常、ユーザからの力は原稿カバー３の下側から上方に向かうようにかかり、把持部３ａを押圧することはない。この場合には、規制部材３０は、カバー部材３に対してほぼ平行な状態であり、原稿カバー３の揺動に伴って、外歯車２０の各歯２０ｃが第１歯部材１０の外歯車１０の各歯１０ｃに噛合しながら、回動軸心Ｐ回りを図中で左向きに回動する。この時、係合部３２は押圧バネ３８によって押圧されながら外歯車２０の各歯２０ｃを順次左側に送り、各歯２０ｃが係合部３２と係合することはない。なお、押圧バネ３８の押圧力は、把持部３が押圧されず、規制部材３０がカバー部材３に対してほぼ平行な状態にある場合に、ユーザが原稿カバー３を回動させた際には、係合部３２が外歯車２０の回動を妨げることなく、各歯２０ｃと接触しつつ、左方向に送ることが可能なレベルに設定されている。このため、原稿カバー３は、装置本体１に対して揺動軸心Ｏ回りで揺動し、ユーザの操作により下方から上方に容易に持ち上がる。
【００３７】
また、原稿カバー３が装置本体１に対して所望の開角度になった時点で、ユーザが原稿カバー３の前部から手を離せば、その位置において、外歯車２０は、各歯２０ｃが第１歯部材１０の外歯車１０の各歯１０ｃに噛合しながら、回動軸心Ｐ回りの任意の位置で停止する。この時、規制部材３０の係合部３２は、押圧バネ３８によって外歯車２０の一つの歯２０ｃと係合する。また、この際、押圧バネ３８は、係合部３２を歯２０ｃに向けて精度よく付勢する。このため、原稿カバー３は装置本体１に対して揺動軸心Ｏ回りの任意の位置で停止する。なお、開角度は９０°未満に限定されず、装置本体１の重量と原稿カバー３の重量との関係から、９０°以上でもかまわない。
【００３８】
この状態において、ユーザが把持部３ａを下方に押さなければ、原稿カバー３は自重によって右回転又は左回転しようとする。この際、押圧バネ３８の付勢によって係合部３２と歯２０ｃとの係合が保たれ、原稿カバー３が離間位置の姿勢を維持できる。こうして、ユーザは、両手を原稿カバー３から離しながら、原稿を載置面１ａに載置することが可能である。
【００３９】
一方、図７に示すように、ユーザが、離間位置にある原稿カバー３を閉じようとする操作を行なうと、ユーザの手が把持部３ａを押圧し、押圧バネ３８の付勢力に抗して把持部３ａを下方に移動させる。これにより、把持部３ａの下方に位置する操作部３４に対して押圧力が作用し、規制部材３０が操作軸心Ｑ回りで揺動して係合部３２が上方に移動する。この時、外歯車２０は、係合部３２による係合が外れるため、ユーザの原稿カバー３を閉じる操作に伴って、各歯２０ｃが第１歯部材１０の外歯車１０の各歯１０ｃに噛合しながら、回動軸心Ｐ回りを図中で右向きに回動する。これにより、原稿カバー３は、装置本体１に対して揺動軸心Ｏ回りで揺動し、離間位置からから下方に容易に移動させることができる。また、ユーザが原稿カバー３を下げる際に把持部３ａにかかる押圧力が、操作部３４に対しても同様に付与される。そのため、操作部３４に対する操作を原稿カバー３の閉鎖と同時に行なうことができ、外歯車２０と係合部３２との係合を外す特別な操作を行なうことなく、原稿カバー３を閉鎖位置まで下降させることができる。
【００４０】
さらに、図８に示すように、書籍Ｂ等、厚みのある原稿が載置面１ａに載置された場合には、原稿カバー３を閉じようとすると、当接部３６にその原稿が当接し、係合部３２を外歯車２０から離間する方向に移動させる。このため、規制部材３０による原稿カバー３の停止機能が作用しなくなり、原稿の厚みに応じて、支持部１０ａが上昇すると共に、原稿カバー３が自由に移動できる状態となる。これにより、原稿カバー３が厚みのある原稿に当接することに起因して、原稿カバー３が変形することを防止できる。この際、載置面１ａの基準位置１ｃがある側にヒンジ機構５を採用しているため、当接部３６が確実に原稿に当接し、原稿カバーが自由に移動できる状態となる。
【００４１】
このように本実施形態の読取装置では、ヒンジ機構５が第１歯部材１０、外歯車２０、規制部材３０、係合部３２、操作部３４、押圧バネ３８及び当接部３６を有して構成されており、一般的なフリーストップヒンジと比べ、構造が比較的簡易である。したがって、この読取装置では、コストの低廉化を実現しつつ、従来のフリーストップヒンジを用いた原稿カバー３と同様に、原稿カバー３を種々の離間位置で任意に停止可能である。
【００４２】
また、外歯車２０の歯２０ｃと係合部３２との係合状態を解除する場合、ユーザが原稿カバー３を閉じる操作の流れで、把持部３ａを押圧すればよいため、通常の原稿カバー３の開閉操作と何らかわりなく、ユーザは読取装置を使用することができる。
【００４３】
以上において、本発明を実施形態に即して説明したが、本発明は上記実施形態に制限されるものではなく、その趣旨を逸脱しない範囲で適宜変更して適用できることはいうまでもない。
【００４４】
例えば、第１歯部材を原稿カバーに固定し、第２歯部材及び規制手段を装置本体に設けてもよい。原稿カバーの上部に自動原稿搬送装置（ＡＤＦ）が搭載されていてもよく、この場合は、ヒンジ機構５が配置される装置左側にＡＤＦが搭載されることが望ましい。
【００４５】
第１歯部材としては、外歯車、内歯車、スプロケット等又はこれらの一部を採用することが可能である。各第１歯部は、この第１歯部材に形成され、揺動軸心と同心をなす。例えば、外歯車が第１歯部材の一部を構成しておれば、この外歯車の各歯が各第１歯部である。各第１歯部は、揺動軸心回りに全周設けられている必要はなく、装置本体に対して原稿カバーが揺動する角度だけ設けられておれば足りる。
【００４６】
第２歯部材としては、外歯車、内歯車、チェーン、タイミングベルト等を採用することができる。第２歯部材は揺動軸心と平行な回動軸心回りで回動可能に設けられる。チェーンやタイミングベルトを第２歯部材として採用する場合には、回動軸心は２本以上となる。各第２歯部は、第２歯部材に形成され、第１歯部と噛合可能である。例えば、外歯車が第２歯部材であれば、この外歯車の各歯が各第２歯部である。また、第２歯部材は、第１歯部材と噛み合う外歯車と、この外歯車と一体に回転可能なラッチとからなってもよい。
【００４７】
第１機体は装置本体及び原稿カバーの一方であり、第２機体は装置本体及び原稿カバーの他方である。規制手段は、スイッチと、スイッチによって作動するソレノイド等とでもよい。
【００４８】
第１方向と第２方向とは逆方向である場合に限定されない。付勢部材は押圧バネでも、引張バネでもよい。第１歯部材は、装置本体に対して上下動するように構成されない場合には、装置本体側に完全に固定されてもよい。
【産業上の利用可能性】
【００４９】
本発明は複写機、複合機等に利用可能である。
【符号の説明】
【００５０】
１ａ…載置面
１ｂ…読取手段
１…装置本体、第１機体
３…原稿カバー、第２機体
Ｏ…揺動軸心
５…ヒンジ機構
１０ｃ…第１歯部、歯
１０…第１歯部材
Ｐ…回動軸心
２０ｃ…第２歯部、歯
２０…第２歯部材
３０、３２、３４、３８、３６…規制手段（３０…規制部材、３２…係合部、３４…操作部、３８…付勢部材、押圧バネ、３６…当接部）
Ｑ…操作軸心
１ｃ…基準位置
３ａ…把持部
【図１】
2013120232.tif 000003
【図２】
2013120232.tif 000004
【図３】
2013120232.tif 000005
【図４】
2013120232.tif 000006
【図５】
2013120232.tif 000007
【図６】
2013120232.tif 000008
【図７】
2013120232.tif 000009
【図８】
2013120232.tif 000010